(57)【要約】【課題】コンテンツのタイトルがリスト表示されたタイトルリストを利用する上での利便性を向上させることができるコンテンツ再生装置を提供する。【解決手段】コンテンツのタイトルに関する情報に基づいて、コンテンツでのタイトルの再生順を判定する画像・情報処理部５と、コンテンツを構成するタイトルが、画像・情報処理部５が判定した再生順に並べられたタイトルリストを生成し、タイトルリスト画面を出力するタイトルリスト生成部５ａとを備える。【選択図】図１
2016143433.tif 000002
【特許請求の範囲】
【請求項１】
コンテンツのタイトルに関する情報に基づいて、前記コンテンツでのタイトルの再生順を判定する画像・情報処理部と、
前記コンテンツを構成するタイトルが、前記画像・情報処理部が判定した再生順に並べられたタイトルリストを生成し、前記タイトルリストを表示するタイトルリスト画面を出力するタイトルリスト生成部とを備えるコンテンツ再生装置。
【請求項２】
前記タイトルリスト生成部は、タイトル指定操作による再生が禁止されているタイトルにはその旨を前記タイトルリスト画面に示すことを特徴とする請求項１記載のコンテンツ再生装置。
【請求項３】
前記タイトルリスト生成部は、再生されてからの遷移先が指定されているタイトルには当該遷移先を前記タイトルリスト画面に示すことを特徴とする請求項１記載のコンテンツ再生装置。
【発明の詳細な説明】
【技術分野】
【０００１】
この発明は、タイトル単位で記録された映像コンテンツを再生するコンテンツ再生装置に関する。
【背景技術】
【０００２】
ＢＤ（Ｂｌｕ−ｒａｙ  Ｄｉｓｃ；登録商標）、ＤＶＤ（Ｄｉｇｉｔａｌ  Ｖｅｒｓａｔｉｌｅ  Ｄｉｓｃ）などの記録メディアは、タイトル、チャプタといった単位でコンテンツデータを記録している。例えば、映画を記録したディスクでは、本編タイトルが複数のチャプタに区切られ、各チャプタの先頭の画像がリストアップされたチャプタリスト画面が準備されている。ユーザは、チャプタリスト画面から各チャプタの先頭の画像を確認し、所望のチャプタを選択して再生させることができる。
【０００３】
前述したように、ＤＶＤなどでは、映像コンテンツがタイトル単位に区切られており、チャプタは、一般にタイトル単位で区切られた映像コンテンツをさらに時系列に区切ったものである。従って、チャプタリスト画面においては、各チャプタを順次再生する再生順に並べられていることが多い。
【０００４】
一方、タイトルは、映像コンテンツの時系列とは無関係に予め定められたタイトル数の範囲内で設定することができる。例えば、ＤＶＤでは最大９９タイトルを任意に設定することができ、製作者の側で、本編映像のタイトルに加えて、特典映像などを別のタイトルで記録することが可能である。また、コンテンツ再生装置は、記録メディアに記録された映像コンテンツのタイトルを製作者の側で設定したタイトルの再生順に再生していく。
【０００５】
タイトルごとに割り振られたタイトル番号、製作者の側で設定したタイトルの再生順、各タイトルの再生時間などのタイトルに関する情報は、タイトル情報として記録メディアに記録されている。ただし、タイトル情報は、コンテンツを視聴するユーザの側には提示されない。このため、ユーザは、どのタイトルの映像にどのタイトル番号が割り振られているのかを再生中のタイトルごとに確認することでしか把握できなかった。
【０００６】
例えば、ディスク再生装置の１つの機能であるタイトルサーチは、タイトル番号の指定を受け付け、ユーザから指定されたタイトル番号のタイトルをサーチして再生する。
しかしながら、ユーザは、タイトルサーチにおいてどの映像のタイトルにどのタイトル番号が割り振られているのかを知らないため、任意のタイトル番号を指定してサーチし、サーチ結果として再生された映像とタイトル番号との対応関係を確認する操作を繰り返す必要があった。
【０００７】
これに対して、例えば特許文献１に記載されるコンテンツ再生装置は、記録メディアに記録された映像コンテンツのタイトル映像選択画面を表示して再生すべきタイトルの指定を受け付けている。このタイトル映像選択画面は、タイトルごとの特徴映像をサムネイルとしてリスト表示したもので、ユーザは、サムネイルを確認して所望の映像のタイトルを指定することができる。なお、タイトル映像選択画面では、タイトルがタイトル番号順に並べられている。
【先行技術文献】
【特許文献】
【０００８】
【特許文献１】特開２００５−２５２７９０号公報
【発明の概要】
【発明が解決しようとする課題】
【０００９】
しかしながら、コンテンツのタイトルは、製作者の側で予め設定された順に再生されるので、従来のタイトルリストでは、タイトルの再生順とタイトル番号の順序とが必ずしも一致していなかった。このため、ユーザは、タイトルリストからタイトルの再生順を確認することができず、ユーザがタイトルリストを利用する上での利便性が低かった。
例えば、ユーザは、タイトルの再生順から所望のタイトルをサーチしたい場合もあり、従来のタイトルリストでは、このようなサーチができない。
【００１０】
また、従来のタイトルリストでは、タイトルサーチにおけるユーザの指定操作での再生が禁止されているタイトルが示されておらず、ユーザが指定する可能性があった。
このようなタイトルが指定されると、その指定操作が拒否されて指定前のタイトル再生が継続される。この場合、ユーザは、なぜ指定操作が拒否されたのかを認識できず、同じ指定操作を繰り返してしまう。
前述のように無反応となる場合の他、指定前のタイトルの再生画面にサーチ操作禁止のマークなどが表示されることもある。この場合、ユーザは、サーチ操作禁止のタイトルを指定したことを認識できるが、一度はサーチ操作禁止のタイトルを指定しなければならず不便である。
【００１１】
さらに、従来のタイトルリストでは、製作者の側でタイトルに予め指定された遷移先が明示されていなかった。このため、ユーザがタイトルを指定しても、指定したタイトルに遷移して再生されない場合があった。
例えば、あるタイトルの再生後に特定のタイトルのみに遷移が許可されている場合、ユーザが別のタイトルを指定しても、特定のタイトルに強制的に遷移して再生が行われる。      
【００１２】
この発明は、上記の課題を解決するもので、コンテンツのタイトルがリスト表示されたタイトルリストを利用する上での利便性を向上させることができるコンテンツ再生装置を得ることを目的とする。
【課題を解決するための手段】
【００１３】
この発明に係るコンテンツ再生装置は、コンテンツの再生映像を生成するとともに、コンテンツのタイトルに関する情報に基づいて、コンテンツでのタイトルの再生順を判定する画像・情報処理部と、コンテンツを構成するタイトルが、画像・情報処理部が判定した再生順に並べられたタイトルリストを生成し、タイトルリスト画面を出力するタイトルリスト生成部とを備える。
【発明の効果】
【００１４】
この発明によれば、コンテンツでのタイトルの再生順をタイトルリストから認識できるので、タイトルリストを利用する上での利便性を向上させることができる。
【図面の簡単な説明】
【００１５】
【図１】この発明の実施の形態１に係るディスク再生装置の構成を示すブロック図である。
【図２】従来のタイトルサーチを示す図である。
【図３】図１のディスク再生装置の動作を示すフローチャートである。
【図４】図３のステップＳＴ１２の処理の詳細を示すフローチャートである。
【図５】図４の処理で生成されたタイトルリストを示す図である。
【図６】図３のステップＳＴ１２の処理の別の例を示すフローチャートである。
【図７】図６の処理で生成されたタイトルリストを示す図である。
【図８】図３のステップＳＴ１２の処理のさらに別の例を示すフローチャートである。
【図９】図８の処理で生成されたタイトルリストを示す図である。
【発明を実施するための形態】
【００１６】
実施の形態１．
図１は、この発明の実施の形態１に係るディスク再生装置１の構成を示すブロック図である。図１に示すディスク再生装置１は、この発明におけるコンテンツ再生装置を具体化したものであり、例えば、車載用のディスク再生装置が挙げられる。また、ディスク再生装置１は、ディスク再生部２、ディスク制御部３、メモリ部４、画像・情報処理部５、システムコントローラ６、ユーザインタフェース部７および映像インタフェース部８を備えて構成されている。
【００１７】
ディスク再生部２は、ディスク１１に記録されたコンテンツを再生して、コンテンツの再生データを取得する。なお、ディスク再生部２には、ディスク１１から情報を読み出すためのハードウェアおよびソフトウェアから構成される。また、ディスク１１は、ＣＤ、ＤＶＤ、ＢＤなどの記録メディアである。
ディスク制御部３は、システムコントローラ６の指示に従ってディスク再生部２の再生動作を制御する。
【００１８】
メモリ部４は、ディスク再生部２によってディスク１１のコンテンツから読み出された各種情報を記憶している。なお、各種情報には、ディスク情報４ａ、タイトル情報４ｂ、サムネイル画像情報４ｃが挙げられる。
ディスク情報４ａは、ディスク１１に記録されたコンテンツ全体に関する情報であり、コンテンツのタイトル数、タイトルの再生開始位置などが含まれる。
タイトル情報４ｂは、コンテンツのタイトルに関する情報であり、タイトルごとの再生順、遷移先の指定、制限情報などが含まれる。
サムネイル画像情報４ｃは、各タイトルの特徴画像をサムネイルとした情報であって、例えば、各タイトルの再生開始位置における映像を特徴画像とする。
【００１９】
画像・情報処理部５は、コンテンツの再生映像を生成するとともに、コンテンツのタイトル情報４ｂに基づいて、コンテンツでのタイトルの再生順を判定する。なお、コンテンツでのタイトルの再生順とは、コンテンツの製作者の側でタイトルを設定するときに決められたタイトルの再生順序である。
タイトルリスト生成部５ａは、コンテンツを構成するタイトルが、画像・情報処理部５が判定した再生順に並べられたタイトルリストを生成し、このタイトルリストを表示するタイトルリスト画面を出力する。なお、タイトルリストは、例えば、タイトルサーチを実施するときにユーザによって参照される。
【００２０】
システムコントローラ６は、ディスク再生装置１のシステム全体を制御する。例えば、ディスク制御部３と画像・情報処理部５は、システムコントローラ６の指示に従って各種動作を実行する。
【００２１】
ユーザインタフェース部７は、操作入力部１０を介して入力された情報をシステムコントローラ６に伝えるインタフェースである。
映像インタフェース部８は、画像・情報処理部５が生成した情報を表示部９に表示させる。特に、映像インタフェース部８は、画像・情報処理部５から入力されたコンテンツの再生映像ならびにタイトルリスト画面を表示部９に出力する。
【００２２】
表示部９は、ディスク再生装置１からの表示情報を表示する表示装置であり、例えば、液晶ディスプレイ、有機エレクトロルミネッセンスディスプレイなどで実現される。
操作入力部１０は、ユーザの入力操作を受け付ける。タッチパネル、ハードウェアキーなどを用いて実現される。
【００２３】
なお、ディスク制御部３、画像・情報処理部５、システムコントローラ６、ユーザインタフェース部７、および映像インタフェース部８は、例えば、プロセッサがメモリに記憶されたプログラムを実行することにより実現される。また、複数のプロセッサおよび複数のメモリが連携して上記機能を実行してもよい。
【００２４】
次に、図２を用いて従来のディスク再生装置のタイトルサーチについて説明する。
従来のディスク再生装置では、映像コンテンツの再生画面１００ａにタイトル指定用のＨＭＩ（ヒューマンマシンインタフェース）１０１を重畳表示してタイトルサーチを行うことが一般的であった。タイトル指定用のＨＭＩ１０１は、例えば、図２に示すように、番号欄１０１ａ、番号送り部１０２ａおよび番号戻し部１０２ｂを有している。
番号欄１０１ａには、サーチ先のタイトルに対応するタイトル番号が表示される。番号送り部１０２ａおよび番号戻し部１０２ｂは、操作入力部１０を使用して操作することができ、番号欄１０１ａに表示されるタイトル番号の送りおよび戻しが受け付けられる。
【００２５】
このようにＨＭＩ１０１ではタイトル番号を指定するだけであるため、ユーザは、指定したタイトル番号がコンテンツ内に存在するか否かを認知できず、指定したタイトル番号のタイトルがタイトルサーチでアクセス禁止であるか否かも認知することができない。
例えば、ＨＭＩ１０１で指定したタイトル番号“２”がコンテンツ内に存在し、サーチでのアクセスが禁止されていなかった場合は、タイトル番号“２”に対応するタイトルがサーチされ、矢印（ａ１）に示すように、このタイトルが再生されて映像が表示される。
ユーザは、再生画面１００ｂの映像が所望の映像でない場合、矢印（ａ２）に示すように再生画面１００ｂにＨＭＩ１０１を再度表示させて、上記と同じ処理を繰り返すことになる。
【００２６】
ＨＭＩ１０１で指定したタイトル番号“２”のタイトルがコンテンツ内に存在しない、あるいは、コンテンツ側でタイトルサーチでのアクセスが禁止されていると、このタイトルは、タイトルサーチにおいて再生ができない。このため、矢印（ｂ１）に示すように、タイトルの指定操作が拒否されて指定前のタイトルの再生画面１００ａのままとなる場合がある。この場合、ユーザは、なぜ指定操作が拒否されたのかを認識することができず、矢印（ｂ２）に示すように、同じ指定操作を繰り返してしまう可能性がある。
【００２７】
また、矢印（ｃ１）に示すように、指定前のタイトルの再生画面１００ａにサーチ操作の禁止マーク１０３が表示されることもある。この場合、ユーザは、サーチ操作禁止のタイトルを指定したことを認識できるので、矢印（ｃ２）に示すようにＨＭＩ１０１を再び表示させ、次のタイトル番号のタイトルサーチに移行することができる。
しかしながら、タイトルサーチでアクセスできないタイトルが最初から示されていれば指定されなかったタイトルの余計な指定操作が行われている。
【００２８】
そこで、実施の形態１に係るディスク再生装置１は、タイトル指定用のＨＭＩとして、タイトルをコンテンツでの再生順に並べたタイトルリストを提示する。
タイトルリストを参照することで、ユーザは、タイトルの再生順から、このコンテンツにおけるタイトルの構成を認識することができ、指定したタイトルがコンテンツ内に存在しないといった不具合がない。
【００２９】
次に、実施の形態１に係るディスク再生装置１の動作について説明する。
図３は、図１のディスク再生装置１の動作を示すフローチャートであり、タイトルサーチの動作について示している。
まず、ディスク再生部２は、ディスク１１が挿入されると、ディスク制御部３の指示に従って、コンテンツの再生に必要なディスク情報４ａをディスク１１から読み出して取得する（ステップＳＴ１）。ディスク情報４ａは、画像・情報処理部５に送られ、画像・情報処理部５がメモリ部４に格納する。
【００３０】
システムコントローラ６は、操作入力部１０を使用した入力情報に基づいて、タイトルリストの表示要求があるか否かを判定する（ステップＳＴ２）。
なお、操作入力部１０でタイトルリストの表示を要求する場合を示したが、操作入力部１０を用いた操作入力によらず、再生開始前に自動的にタイトルリストを表示するように設定してもよい。
【００３１】
タイトルリストの表示要求がある場合（ステップＳＴ２；ＹＥＳ）、ステップＳＴ７からステップＳＴ１１までのタイトル情報の取得処理に移行する。
一方、タイトルリストの表示要求がない場合（ステップＳＴ２；ＮＯ）、システムコントローラ６は、ディスク制御部３に対して再生を開始するように指示する。これにより、ディスク再生部２は、ディスク制御部３の制御に従ってディスク１１のコンテンツの再生を開始する（ステップＳＴ３）。
【００３２】
コンテンツの再生が開始された後においても、システムコントローラ６は、操作入力部１０を使用した入力情報に基づいて、タイトルリストの表示要求があるか否かを判定する（ステップＳＴ４）。ここで、タイトルリストの表示要求があった場合（ステップＳＴ４；ＹＥＳ）、上記と同様にしてタイトル情報の取得処理に移行する。
【００３３】
また、タイトルリストの表示要求がなければ（ステップＳＴ４；ＮＯ）、コンテンツの再生が継続される（ステップＳＴ５）。
ディスク再生装置１は、ディスク１１に記録されたコンテンツの再生が終了しなければ（ステップＳＴ６；ＮＯ）、ステップＳＴ４に戻り、上記処理を繰り返す。コンテンツの再生が終了すれば（ステップＳＴ６；ＹＥＳ）、再生処理を終了する。
【００３４】
タイトル情報取得処理において、システムコントローラ６は、ディスク再生部２が読み出したディスク情報４ａに基づいて、ディスク制御部３に対してタイトル情報取得を指示する。このとき、システムコントローラ６は、ディスク１１に記録されるコンテンツ内でタイトル情報が未取得のタイトルがあるか否かを判定する（ステップＳＴ７）。ここで、未取得のタイトルがなければ（ステップＳＴ７；ＮＯ）、ステップＳＴ１２に移行して、タイトルリストの生成処理を実施する。
【００３５】
また、コンテンツ内にタイトル情報が未取得のタイトルがある場合（ステップＳＴ７；ＹＥＳ）、ディスク再生部２は、ディスク制御部３の指示に従って、コンテンツ内のタイトルのうち、次のタイトル番号に対応するタイトルにアクセスする（ステップＳＴ８）。
次に、ディスク再生部２は、アクセスしたタイトルにおけるタイトル情報４ｂを取得し（ステップＳＴ９）、サムネイルに用いるサムネイル画像情報４ｃを取得する（ステップＳＴ１０）。
【００３６】
取得されたタイトル情報４ｂおよびサムネイル画像情報４ｃは、ディスク再生部２から画像・情報処理部５に出力される。画像・情報処理部５は、ディスク再生部２から入力されたタイトル情報４ｂとサムネイル画像情報４ｃをメモリ部４に記憶する。
この後、システムコントローラ６は、タイトル番号を更新して（ステップＳＴ１１）、ステップＳＴ７の処理に戻り、上記の処理を繰り返す。
【００３７】
タイトルリスト生成処理において、タイトルリスト生成部５ａは、メモリ部４から読み出したタイトル情報４ｂおよびサムネイル画像情報４ｃを用いて、コンテンツでの再生順にタイトルを並べたタイトルリストを生成する。そして、タイトルリスト生成部５ａは、上記タイトルリスト画面として映像インタフェース部８に出力する。
表示部９は、映像インタフェース部８を介してタイトルリスト生成部５ａから入力したタイトルリスト画面を表示する。
ここまでの処理が、ステップＳＴ１２に相当する。
【００３８】
システムコントローラ６は、タイトルリストを参照したユーザによるタイトルの選択が実施されたか否かを判定する（ステップＳＴ１３）。タイトルの選択が実施されない場合（ステップＳＴ１３；ＮＯ）、ステップＳＴ１３の処理を繰り返す。
一方、タイトルリストからタイトルが選択された場合（ステップＳＴ１３；ＹＥＳ）、ステップＳＴ３の処理に戻って、ディスク再生部２は、選択されたタイトルの再生を開始する。
【００３９】
次に、タイトルリスト生成処理の詳細について説明する。
図４は、図３のステップＳＴ１２の処理の詳細を示すフローチャートである。
画像・情報処理部５は、メモリ部４からコンテンツ内の全タイトルのタイトル情報４ｂを読み出す。そして、画像・情報処理部５は、各タイトル情報４ｂに含まれるタイトルごとの再生順に基づいて、このコンテンツでのタイトルの再生順を判定する（ステップＳＴ１ａ）。
【００４０】
次に、タイトルリスト生成部５ａは、画像・情報処理部５により判定された再生順にタイトルが並べられたタイトルリストを生成する（ステップＳＴ２ａ）。
このとき、タイトルリスト生成部５ａは、サムネイル画像情報４ｃを用いて、タイトルごとのサムネイルが表示されるタイトルリストを生成してもよい。
【００４１】
この後、タイトルリスト生成部５ａは、タイトルリスト画面として、映像インタフェース部８に出力する。表示部９は、映像インタフェース部８を介してタイトルリスト生成部５ａから入力したタイトルリスト画面を表示する（ステップＳＴ３ａ）。
【００４２】
図５は、図４の処理で生成されたタイトルリストを示す図である。図４の処理により、表示部９は、タイトルリスト生成部５ａにより生成されたタイトルリスト画面９Ａを表示する。図５に示す例では、コンテンツ内に３つのタイトルがあり、タイトルごとの表示枠１２ａ，１２ｂ，１２ｃがタイトルリスト画面９Ａに表示されている。
【００４３】
表示枠１２ａ，１２ｂ，１２ｃには、タイトルごとのサムネイル１３ａ，１３ｂ，１３ｃ、タイトル番号１４ａ，１４ｂ，１４ｃ、再生時間１５ａ，１５ｂ，１５ｃが表示される。なお、表示枠１２ｂを太枠にすることで、タイトル番号“１”のタイトルが再生中であることを示している。
【００４４】
また、表示枠１２ａ，１２ｂ，１２ｃの間に表示された矢印１６は、タイトルの再生順を示している。すなわち、ユーザは、矢印１６の方向を参照することにより、タイトル番号“３”、タイトル番号“１”、タイトル番号“２”の順番でタイトルが再生されることを認識できる。なお、タイトルリスト画面９Ａには、コンテンツ内に存在するタイトルのみが表示されるので、従来のようにコンテンツ内に存在しないタイトルが指定されることを防止できる。
【００４５】
タイトルリスト画面９Ａは、タイトルサーチでサーチ先のタイトルを選択するＨＭＩを構成する。ユーザは、操作入力部１０を使用して表示枠１２ａ，１２ｂ，１２ｃのうちのいずれかを選択することで、選択された表示枠に対応するタイトルがサーチ先として指定される。これにより、サーチ先のタイトルの再生映像が表示部９に表示される。
【００４６】
前述したように、タイトルの再生順に加えて、タイトルサーチで再生が禁止されていることをタイトルリストで示してもよい。
図６は、図３のステップＳＴ１２の処理の別の例を示すフローチャートである。
まず、画像・情報処理部５は、図４と同様にして、メモリ部４からコンテンツ内の全タイトルのタイトル情報４ｂを読み出す。そして、画像・情報処理部５は、各タイトル情報４ｂに含まれるタイトルごとの再生順に基づいて、このコンテンツでのタイトルの再生順を判定する（ステップＳＴ１ｂ）。
【００４７】
次に、画像・情報処理部５は、各タイトル情報４ｂに含まれるタイトルごとの制限情報に基づいて、タイトルごとにタイトルサーチでのアクセスが禁止されているか否かを判定する（ステップＳＴ２ｂ）。例えば、タイトルごとの制限情報からタイトルサーチで指定してもアクセスが禁止されて再生できないタイトルを抽出する。
【００４８】
タイトルリスト生成部５ａは、画像・情報処理部５により判定された再生順にタイトルが並べられ、上記アクセスの制限を示したタイトルリストを生成する（ステップＳＴ３ｂ）。サムネイル画像情報４ｃを用いてタイトルごとのサムネイルを表示したタイトルリストを生成してもよい。
【００４９】
この後、タイトルリスト生成部５ａは、タイトルリスト画面として映像インタフェース部８に出力する。表示部９は、映像インタフェース部８を介してタイトルリスト画面を表示する（ステップＳＴ４ｂ）。
【００５０】
図７は、図６の処理で生成されたタイトルリストを示す図である。図６の処理により、表示部９は、タイトルリスト生成部５ａにより生成されたタイトルリスト画面９Ｂを表示する。タイトルリスト画面９Ｂでは、図５の場合と同様に、タイトル番号“３”、タイトル番号“１”、タイトル番号“２”の順番でタイトルが再生される。
【００５１】
ただし、表示枠１２ｃのタイトルは、タイトルサーチでユーザが指定してもディスク再生部２によるアクセスが禁止されており、タイトルサーチでの再生が禁止されている。
このため、表示枠１２ｃには、“アクセス禁止タイトル”という文字１７が表示され、表示枠１２ｃが他のタイトルの表示枠とは異なる色にされている。
これにより、ユーザは、文字１７あるいは表示枠の色からタイトルサーチにおける再生が禁止されているタイトルであることを認識できる。
【００５２】
なお、図７の例では、“アクセス禁止タイトル”という文字１７を表示する場合を示したが、図２で示したような禁止マークを表示してもよい。
また、表示枠の形状、色などの表示態様を、タイトルサーチでのアクセスが禁止されていないタイトルと異なるように変更してもよい。
すなわち、タイトルリスト画面９Ｂを参照したときに、ユーザが、タイトルサーチでのアクセスが禁止されているタイトルであることが認識できる表示態様であればよい。
【００５３】
また、これまでの説明では、タイトルサーチにおけるタイトル指定操作でのアクセスが禁止されている場合を示したが、これに限定されるものではない。
すなわち、タイトルサーチ以外のタイトル指定操作でタイトルの再生が禁止されている場合にも適用可能である。
【００５４】
製作者の側でタイトルに予め指定された遷移先をタイトルリストに示してもよい。
図８は、図３のステップＳＴ１２の処理のさらに別の例を示すフローチャートである。
まず、画像・情報処理部５は、図４と同様にして、メモリ部４からコンテンツ内の全タイトルのタイトル情報４ｂを読み出す。そして、画像・情報処理部５は、各タイトル情報４ｂに含まれるタイトルごとの再生順に基づいて、このコンテンツでのタイトルの再生順を判定する（ステップＳＴ１ｃ）。
【００５５】
次に、画像・情報処理部５は、図６と同様にして、各タイトル情報４ｂのタイトルごとの制限情報に基づいて、タイトルごとにタイトルサーチでのアクセスが禁止されているか否かを判定する（ステップＳＴ２ｃ）。例えば、タイトルごとの制限情報からタイトルサーチで指定してもアクセスが禁止されて再生できないタイトルを抽出する。
【００５６】
続いて、画像・情報処理部５は、各タイトル情報４ｂに含まれるタイトルごとの遷移先の指定情報に基づいて、タイトルの可能な遷移先を確認する（ステップＳＴ３ｃ）。
例えば、遷移先に特定のコンテンツが含まれるか、遷移先が特定のコンテンツに限定されているか、コンテンツ内の再生順またはその逆順にタイトルサーチで指定が可能かといったことが確認される。
【００５７】
タイトルリスト生成部５ａは、画像・情報処理部５により判定された再生順にタイトルが並べられ、上記アクセスの制限、可能な遷移先を示したタイトルリストを生成する（ステップＳＴ４ｃ）。なお、サムネイル画像情報４ｃを使用して、タイトルごとのサムネイルが表示されたタイトルリストを生成してもよい。
【００５８】
この後、タイトルリスト生成部５ａは、タイトルリスト画面を、映像インタフェース部８に出力する。表示部９は、映像インタフェース部８を介してタイトルリスト画面を表示する（ステップＳＴ５ｃ）。
【００５９】
図９は、図８の処理で生成されたタイトルリストを示す図である。図８の処理により、表示部９は、タイトルリスト生成部５ａにより生成されたタイトルリスト画面９Ｃを表示する。タイトルリスト画面９Ｃでは、図５の場合と同様にタイトル番号“３”、タイトル番号“１”、タイトル番号“２”の順番でタイトルが再生される。
【００６０】
ただし、図７と同様に、表示枠１２ｃのタイトルは、タイトルサーチでユーザが指定してもディスク再生部２によるアクセスが禁止されており、タイトルサーチでの再生が禁止されている。このため、表示枠１２ｃには、“アクセス禁止タイトル”という文字１７が表示され、表示枠１２ｃが他のタイトルの表示枠とは異なる色で表示されている。
これにより、ユーザは、文字１７あるいは表示枠の色からタイトルサーチにおける再生が禁止されているタイトルであることを認識できる。
【００６１】
矢印１８ａ，１８ｂ，１８ｃは、コンテンツでのタイトルの再生順に加え、製作者の側でタイトルに指定された遷移先を示している。遷移先は、タイトルが再生されてから遷移可能なコンテンツを示しており、他のタイトルであったり、メニュー画面の場合もある。
【００６２】
図９に示す例では、表示枠１２ａとＴＯＰメニューとの間に、ＴＯＰメニューに向かう矢印１８ａが表示されている。これは、タイトル番号“３”のタイトルが再生されてから再生順で１つ前のタイトルを指定するタイトルダウンの指定操作が行われた場合、ＴＯＰメニュー画面に遷移することを示している。ユーザは、矢印１８ａからＴＯＰメニューに遷移することを認識できる。
【００６３】
また、表示枠１２ａと表示枠１２ｂとの間には両方向の矢印１８ｂが表示されている。これは、タイトル番号“１”のタイトルが再生されてからタイトルダウンの指定操作が行われた場合、タイトル番号“３”のタイトルの再生に遷移することを示している。反対に、タイトル番号“３”のタイトルが再生されてから再生順で次のタイトルを指定するタイトルアップの指定操作が行われると、タイトル番号“１”のタイトルの再生に遷移する。
ユーザは、矢印１８ｂを参照することで、タイトル番号“３”のタイトルとタイトル番号“１”のタイトルとの間で双方向に遷移可能であることを認識できる。
【００６４】
表示枠１２ａｂと表示枠１２ｃとの間には、表示枠１２ｃに向かう矢印１８ｃが表示されている。前述したように、タイトル番号“２”のタイトルは、ユーザの指定操作による再生が禁止されている。従って、矢印１８ｃは、図５に示した矢印１６と同様に、タイトル番号“１”のタイトルの再生後に、タイトル番号“２”のタイトルが再生されることを示している。
ただし、矢印１８ｃは表示枠１２ｃだけに向いているので、タイトル番号“２”のタイトルが再生されてからタイトルダウンの操作により、タイトル番号“１”のタイトルに遷移できない。
ユーザは、矢印１８ｃを参照することで、タイトル番号“１”のタイトルからタイトル番号“２”のタイトルへの遷移だけが可能であることを認識できる。
【００６５】
以上のように、実施の形態１に係るディスク再生装置１は、少なくとも画像・情報処理部５とタイトルリスト生成部５ａを備えて構成される。
画像・情報処理部５は、コンテンツのタイトル情報４ｂに基づいて、コンテンツでのタイトルの再生順を判定する。タイトルリスト生成部５ａは、コンテンツを構成するタイトルが、画像・情報処理部５が判定した再生順に並べられたタイトルリストを生成し、タイトルリスト画面を出力する。
このように構成することにより、ユーザは、表示部９に表示されたタイトルリスト画面を参照してコンテンツでのタイトルの再生順を認識でき、タイトルリストを利用する上での利便性を向上させることができる。
例えば、ユーザは、タイトルリストを参照してタイトルの再生順から所望のタイトルをサーチすることができる。
【００６６】
また、実施の形態１において、タイトルリスト生成部５ａが、タイトル指定操作による再生が禁止されているタイトルには、その旨をタイトルリスト画面に示している。このようにすることで、ユーザは、タイトルリストを参照することで、タイトル指定操作による再生が禁止されているタイトルを認識することができる。これにより、このようなタイトルの指定が防止され、タイトルリストの利便性を向上させることができる。
【００６７】
さらに、実施の形態１において、タイトルリスト生成部５ａが、再生されてからの遷移先が指定されているタイトルには当該遷移先をタイトルリスト画面に示している。
このようにすることで、ユーザは、タイトルリストを参照することにより、製作者の側で指定されたタイトルの遷移先を認識することができる。
従って、遷移できないタイトルなどが指定されることがなく、タイトルリストの利便性を向上させることができる。
【００６８】
実施の形態１では、ＣＤ、ＤＶＤ、ＢＤなどのディスク１１にコンテンツが記録されている場合を示したが、これに限定されるものではない。記録メディアとしては、例えば、ＳＤカード、ＵＳＢメモリなどであってもよく、コンテンツは、通信で外部機器から受信したものであってもよい。すなわち、本発明におけるコンテンツは、タイトルごとに区切られて、コンテンツの製作者の側でタイトルの再生順が設定されていればよい。
【００６９】
なお、本発明はその発明の範囲内において、実施の形態の任意の構成要素の変形、もしくは実施の形態の任意の構成要素の省略が可能である。
【符号の説明】
【００７０】
１  ディスク再生装置、２  ディスク再生部、３  ディスク制御部、４  メモリ部、４ａ  ディスク情報、４ｂ  タイトル情報、４ｃ  サムネイル画像情報、５  画像・情報処理部、５ａ  タイトルリスト生成部、６  システムコントローラ、７  ユーザインタフェース部、８  映像インタフェース部、９  表示部、９Ａ〜９Ｃ  タイトルリスト画面、１０  操作入力部、１１  ディスク、１２ａ〜１２ｃ  表示枠、１３ａ〜１３ｃ  サムネイル、１４ａ〜１４ｃ  タイトル番号、１５ａ〜１５ｃ  再生時間、１６，１８ａ〜１８ｃ  矢印、１７  文字。
【図１】
2016143433.tif 000003
【図２】
2016143433.tif 000004
【図３】
2016143433.tif 000005
【図４】
2016143433.tif 000006
【図５】
2016143433.tif 000007
【図６】
2016143433.tif 000008
【図７】
2016143433.tif 000009
【図８】
2016143433.tif 000010
【図９】
2016143433.tif 000011